(57)【特許請求の範囲】
【請求項１】
第１に、少なくとも１個の入力と少なくとも１個の出力とを備えた光増幅器（１１）を有し、第２に、フィードフォワード処理命令信号（ＰＦ）の助けをかりて前記光増幅器（１１）の出力強度を制御する制御回路を有し、前記制御回路がフィードフォワード・ブロック（１４）と前記光増幅器（１１）の入力から前記フィードフォワード・ブロック（１４）に光を分岐するための第１装置（１３）とを有する、光システムにおいて、前記フィードフォワード・ブロック（１４）が全光入力強度を測定しかつ前記フィードフォワード処理命令信号（ＰＦ）を生成し、前記制御回路が制御器装置（１５）、検出器ブロック（１７）および前記光増幅器（１１）の出力から前記検出器ブロック（１７）に光を分岐するための他の装置（１６）を有し、処理値信号（ＰＶ）が前記検出器ブロック（１７）から前記制御器装置（１５）に送られ、フィードバック処理命令信号（ＰＢ）が前記制御器装置（１５）から組合せ装置（１８）に送られ、前記フィードフォワード処理命令信号（ＰＦ）が前記組合せ装置（１８）に送られ、前記組合せ装置（１８）が前記フィードフォワード処理命令信号（ＰＦ）と前記フィードバック処理命令信号（ＰＢ）を乗算し、かつ前記光増幅器（１１）を制御する出力信号（ＰＤ）を送出するよう構成されたことを特徴とする光システム。
【請求項２】
請求項１記載の光システムにおいて、前記フィードフォワード処理命令信号（ＰＦ）が全光入力強度の非線形関数であることを特徴とする光システム。
【請求項３】
請求項２記載の光システムにおいて、前記非線形関数がアナログ非線形回路網により達成されることを特徴とする光システム。
【請求項４】
請求項２記載の光システムにおいて、前記非線形関数がメモリ（２６）に対するアドレス指定により達成されることを特徴とする光システム。
【請求項５】
請求項１から４のいずれか記載の光システムにおいて、前記制御器装置（１５）が前記処理値信号（ＰＶ）用の入力、設定点信号（ＳＰ）用の入力および前記フィードバック処理命令信号（ＰＢ）用の出力を有し、前記処理値信号（ＰＶ）が前記光増幅器（１１）のチャンネル出力強度に対応し、かつ前記設定点信号（ＳＰ）が前記光増幅器（１１）から要求された前記チャンネル出力強度に対応し、前記フィードバック処理命令信号（ＰＢ）が前記処理値信号（ＰＶ）と前記設定点信号（ＳＰ）に作用して前記光増幅器（１１）のチャンネル出力強度を要求された値に調節することを特徴とする光システム。
【請求項６】
請求項１から４のいずれか記載の光システムにおいて、前記制御器装置（１５）が非線形であることを特徴とする光システム。
【請求項７】
請求項１から６のいずれか記載の光システムにおいて、前記光システムが前記光増幅器を通るチャンネルの数をカウントする装置を有し、前記検出器ブロック（１７）が全てのチャンネルの前記全出力強度を測定し、前記処理値信号（ＰＶ）が前記光増幅器を通るチャンネルの数で除算した前記検出器ブロックにより測定した全チャンネルの前記全出力強度に基いて形成されることを特徴とする光システム。
【請求項８】
請求項１から６のいずれか記載の光システムにおいて、多数の波長チャンネルが前記光増幅器（１１）を通過し、少なくとも１つの検査信号チャンネルについて、前記チャンネル出力強度を示すように使用する検査信号（Ａ）が前記波長チャンネル内で他の信号に関して変調されることを特徴とする光システム。
【請求項９】
請求項１から６のいずれか記載の光システムにおいて、前記処理値信号（ＰＶ）が前記チャンネル出力強度を示すように使用する少なくとも１つの検査信号（Ａ）に基いて前記光増幅器の出力強度を測定して前記検査器ブロック（１７）に生成され、前記検査信号は前記光増幅器（１１）を通して少なくとも１つの波長チャンネルに送ることを特徴とする光システム。
【請求項１０】
請求項８または９のいずれか記載の光システムにおいて、前記検出器ブロック（１７）が前記波長チャンネル上の全出力強度を測定することを特徴とする光システム。
【請求項１１】
請求項８または９のいずれか記載の光システムにおいて、前記検出器ブロック（１７）が前記波長チャンネル上の振幅を測定することを特徴とする光システム。
【請求項１２】
請求項１から１１のいずれか記載の光システムにおいて、前記光増幅器（１１）が前記ポンプ・レーザ（１２）により制御されるように配置されるという事実と、前記ポンプ・レーザ（１２）が出力信号により制御されるという事実とにより、前記光増幅器（１１）の前記出力強度が出力信号（ＰＦ，ＰＤ）により間接的に制御されることを特徴とする光システム。
【請求項１３】
フィードフォワード・ブロック（１４）と、光増幅器の入力からフィードフォワード処理命令信号（ＰＦ）を生成する前記フィードフォワード・ブロック（１４）に光を分岐するための装置（１６）とを有する制御回路を用いることにより、前記フィードフォワード処理命令信号（ＰＦ）の助けをかりて、少なくとも１個の入力と少なくとも１個の出力とを有する光増幅器の出力強度を制御するための工程において、
前記制御回路が制御装置（１５）と、検出器ブロック（１７）と、光増幅器（１１）の出力から前記検出器ブロック（１７）に光を分岐するための他の装置とを関連させ、
前記光増幅器（１１）の入力から前記フィードフォワード・ブロック（１４）に光が分岐され、
前記光増幅器（１１）に対する全光入力強度が測定され、
前記フィードフォワード処理命令信号（ＰＦ）がこの入力強度の非線形関数として形成され、
処理値信号（ＰＶ）が前記検出器ブロック（１７）から前記制御装置（１５）に送られ、
前記処理値信号（ＰＶ）と要求されたチャネル出力強度（ＳＰ）との比較により生成されたフィードバック処理命令信号（ＰＢ）が前記制御装置（１５）から組合せ装置（１８）に送られ、
前記フィードフォワード処理命令信号（ＰＦ）が前記組合せ装置（１８）に送られ、
前記組合せ装置（１８）が前記フィードフォワード処理命令信号（ＰＦ）と前記フィードバック処理命令信号（ＰＢ）とを掛け合わせ、かつ前記光増幅器（１１）を制御する出力信号（ＰＤ）を送出するように配置されたことを特徴とする工程。
【請求項１４】
請求項１３記載の工程において、前記光増幅器（１１）を通るチャンネルの数がカウントされ、全出力強度が測定され、かつ前記処理値信号（ＰＶ）が前記光増幅器を通過するチャンネル数で除算された前記検出器ブロックにより測定した全チャンネルの全出力強度に基いて形成されることを特徴とする工程。
【請求項１５】
請求項１３記載の工程において、前記チャンネル出力強度（ＳＰ）を示すように使用する少なくとも１つの検査信号（Ａ）が少なくとも１つの波長チャンネルに、前記光増幅器（１１）を通して送られて、これらの前記波長チャンネルの全出力強度が測定されることを特徴とする工程。
【請求項１６】
請求項１３記載の工程において、前記チャンネル出力強度（ＳＰ）を示すように使用する少なくとも１つの検査信号（Ａ）が少なくとも１つの波長チャンネルに、前記光増幅器（１１）を通して送られて、これらの前記波長チャンネルの振幅が測定されることを特徴とする工程。
【請求項１７】
請求項１３から１６のいずれか記載の工程において、前記組合わせブロック（１８）からの前記出力信号（ＰＤ）に応じてポンプ・レーザ（１２）を制御することにより前記ポンプ・レーザ（１２）が前記光増幅器（１１）を制御することを特徴とする工程。
【発明の詳細な説明】
技術分野
本発明は光増幅器を備えたシステムに関する。さらに詳細に言えば本発明は、伝送される信号が波長分割多重化（ＷＤＭ）されたシステムおよびこのシステムの制御処理工程に関する。
技術の現状
波長分割多重化（ＷＤＭ）は、分離した異なる光波長を用いることにより、１個の光ファイバを通して多数個の光信号を送信することが可能な技術である。この方式では、情報の伝送容量が大幅に増大する。この容量は、ファイバの帯域幅と、用いる波長チャンネルの総数と、波長チャンネルが相互にどの位接近して実際に配置されるか、に応じて変わる。それぞれの波長における信号は、他の信号とは独立にファイバの中を伝送する。したがって、信号の各々は大きな帯域幅の離散した１つのチャンネルを表す。
信号が遠距離に送られる時、信号は一定の距離ごとに再生または増幅されなければならない。後者のまた別の方法では、例えば光増幅器を用いることができる。光増幅器が電気的増幅器と異なる点は、光増幅器はその出力強度を一定に保とうとする傾向があるのに対し、一方の電気的増幅器は増幅率を一定に保とうとする。
出力強度が一定であるという事実は、もしチャンネルの総数が故意にまたは故障により変更されるならば、問題点を生ずる。したがって、出力強度を制御できることが望ましい。パイロット・トーンの助けをかりて光増幅器の増幅率を制御することは従来から知られていた（ＥＰ 0 637 148Ａ１を見よ）。識別用パイロット・トーンは、多重化された波長の各々について変調される。システムの中の増幅器の各々は、送られる波長の総数をこのパイロット・トーンから決定する。この波長の総数により、増幅器による増幅率の対応する制御が得られる。フィードフォワード制御またはフィードバック制御のいずれかを用いることができる。この特許文書はまた、チャンネルの総数をカウントするのに加えて、チャンネルに関するパイロット・トーンの振幅を測定し、それによりさらに良い制御が得られることを示している。
増幅器の出力における全光強度を測定し、そしてそれを基準電圧と比較することにより、種々の方法で増幅器を制御することがまた従来から知られている（ＧＢ 2 294 170号を見よ）。このことにより、増幅器を制御するフィードバック信号が得られる。それに加えて、チャンネルの総数をカウントすることができ、そしてそれを用いて制御を調整することができる。
１つの波長チャンネルだけの強度を測定することにより、光増幅器を制御することがまた知られている（ＵＳ 4,991,229号を見よ）。これは、ＷＤＭ結合器の助けをかりたフィルタ作用によりチャンネルを引き出し、そしてそれを検出することにより実行される。そうでない場合には、フィードバック制御が前記で説明されたようにして実行される。
発明の説明
従来の技術が有する１つの問題点は、フィードバックを十分に高速に行うことが困難であることである。
チャンネルの総数をカウントすることだけにより、光増幅器からの出力強度を制御する場合の１つの問題点は、チャンネルの総数は増幅器の出力強度のおおよその目安に過ぎないことである。
本発明の目的は、増幅器に対する全光入力強度の読み出しと共にフィードフォワードを用いることにより、これらの問題点を解決することである。この入力強度の非線形関数として、出力信号が形成される。そして次にこの出力信号が、例えば光増幅器に結合されたポンプ・レーザを制御することにより、増幅器を制御する。
信頼性を増加させるために、本発明の１つの実施例では、フィードフォワードと負フィードバックとを組み合わせることができる。このことにより、フィードフォワードによる粗い調整と、フィードバックによる微細調整とが得られる。
光チャンネル出力強度を測定すること、およびそれを制御器に送ることにより、フィードバックが実行される。この制御器にはまた、要求されたチャンネル出力強度を指示する設定値が結合される。制御器は、フィードフォワードから出力信号により加算されるかまたは乗算される信号を放出し、そして増幅器の制御を行う。
チャンネルの中の強度の測定は、種々の方法で実行することができる。第１の方法では、チャンネルの総数をカウントし、そしてチャンネル全体の中の全強度を測定し、そしてこの強度をチャンネルの総数で除算することができる。また別の方法では、強度の測定のためにだけ１個のチャンネル、または好ましくは２個のチャンネル、が割り当てられる。この場合、これらのチャンネルの中には、本質的にある種の既知の検査信号、例えばパイロット・トーンまたはディジタル信号、があるに違いない。この場合には、強度はこれらのチャンネルについてだけ測定される。またはそれとは異なって、検査信号の振幅を測定することができる。もしいくつかの検査信号が用いられるならば、その平均値が採用される。
本発明の利点は、測定が高速でかつ信頼性をもって実行され、および廉価でかつ単純な方式で実行されることである。
図面の説明
図１は、５個のチャンネルに対して最適化された先行技術による光システムの概要図。
図２は、図１と同じシステムであるが、２個のチャンネルだけがある場合の光システムの概要図。
図３は、本発明の１つの実施例の概要図。
図４は、本発明の第２の実施例の概要図。
図５は、図４の細部を示した詳細図。
好ましい実施例
図１は、波長分割多重化を用いて、５個のチャンネル８ａ、８ｂ、８ｃ、８ｄおよび８ｅに対して最適化された先行技術による光システムの図である。このシステムは、例えば電話システムの一部分であることができる。光システムでは、光増幅器１が一定の出力強度を有する。増幅器１はポンプ・レーザ２により制御される。光ファイバ６はこのシステムの中の他の接続点と増幅器１の入力とを接続し、そして光ファイバ７は増幅器１の出力とこのシステムの中の他の接続点とを接続する。ファイバ６、７の中には、複数個のチャンネルを付加および除去することができる。図示されている実施例では、４個のチャンネル８ａ、８ｃ、８ｄ、８ｅが第１ファイバ６を通して増幅器１の中に送られ、そして増幅され、そして第２ファイバ７の中に出力する。付加チャンネル８ｂは、その後で送信機３から付加される。この場合、すべてのチャンネル８ａ、８ｂ、８ｃ、８ｄ、８ｅは同じ強度であり、そして選定された１つのチャンネル８ｄが選定されたチャンネル８ｄの特定の波長を選択するためのフィルタ４により読み出され、そしてそれを受信機５に送ることができる。すべてのチャンネル８ａ、８ｂ、８ｃ、８ｄ、８ｅはそれらがさらに進行すると強度が減少するが、それらが同じ強度であるので、それらを再び増幅することについての問題点はない。
図２は、図１と同じシステムの図である。この場合、システムはなお５個のチャンネルに対して最適化されるが、しかし第１チャンネル８ａだけが増幅器１に送られる。この場合、この１個のチャンネル８ａは、増幅された４個のチャンネルがもし存在していた場合のほぼ４倍の強度になるであろう。このことは光増幅器からの全出力強度が原理的に一定であるという事実によるものである、すなわち、出力強度は増幅器に結合されたポンプ・レーザ２からの出力強度に実際的に主として依存していて、増幅器１への入力強度にはほとんど依存していないという事実によるものである。
次に、第２チャンネル８ｂが付加される時、チャンネル８ａおよび８ｂは問題点を生ずる程に強力ではないはずである。フィルタ４は実際には理想的なフィルタではない。したがって、フィルタ４が第２チャンネル８ｂを選定して除外しようとする時、第１チャンネル８ａは非常に強度が大きいので、第１チャンネル８ａが優越し、そして漏話が起こり得る。
したがって、増幅器１チャンネルの出力強度を制御できることが非常に望まれる。
光増幅器からの出力効果はこの増幅器に結合されているポンプ・レーザからの出力強度に主として依存するから、本発明に従い図３に示されている方式で、ポンプ・レーザを制御することにより前記の問題点を解決することが可能である。光増幅器１１はポンプ・レーザ１２により制御される。第１光マルチプレクサ１３は増幅器１１の入力における全光強度を読み出し、そしてその値をフィードフォワード・ブロック１４に送る。フィードフォワード・ブロック１４からフィードフォワード処理命令信号ＰＦが送られ、それにより増幅器１１が制御されてポンプ・レーザ１２の出力強度が制御される。
フィードフォワード・ブロック１４により全光強度の非線形機能が得られ、そして例えばアナログ非線形回路網の助けをかりてフィードフォワード・ブロック１４を実現することができる。またはそれと異なる方法は、例えば光入力強度を８ビット・ワードにＡ／Ｄ変換することにより、ディジタルにそれを解決する方法である。この場合、この８ビット・ワードは、メモリの中の異なるメモリ・アドレスを指示する８ビット・ワードの異なる値により用いることができる（図５に関連する説明を参照されたい）。
擾乱を一度で訂正することができるから、この方式でフィードフォワードを用いることは制御を高速にする。けれども結果を見ることができないから、フォワード・フィードはシステムの動作について多くの知識を必要とする。このことは、目隠しをされた自動車を運転することに例えることができる。溝に落ちないように曲がり角ごとにハンドルをどのように回さなければならないかを、運転者は正確に知らなければならない。
また別の問題点は、純粋なフィードフォワードは光入力強度が狭い範囲内にあることを要求することである。
図４は、これらの問題点を解決するための１つの方法を示した図である。図４は図３と同じ図であるが、しかし負フィードバックが付加されている。負フィードバックは信頼できる。それは、結果が分かっており、そしてその後に調整が行われるからである。けれどもその欠点は、自動制御が思う程には高速に実行できないことである。それはこの場合には、制御が不安定になる危険があろうからである。この場合、光増幅器はまた多分５〜10ｍｓの時定数を有する。この時定数は、フィードバック制御がどのように高速に行うことができるかの限界を設定する。けれども、もしフィードバックとフィードフォワードとを組み合わせるならば、フィードフォワードの助けにより十分に高速な調整が達成され、そしてフィードバックの助けによりそれ程高速でない微細調整が達成される。
光増幅器１１の出力強度を測定すること、および処理値ＰＶを供給することにより、フィードバックが機能する。制御器１５において、処理値ＰＶは、要求されたチャンネル出力強度すなわち設定点ＳＰと比較される。設定点ＳＰは、制御器１５のプログラミングに従って、フィードバック処理命令信号ＰＢを放出する。フィードバック処理命令信号ＰＢは、ポンプ・レーザ１２を通して、増幅器１１のチャンネル出力強度を制御し、したがって、それが要求された出力に近づく。この調整はもちろん瞬間的には行われない。フィードバック処理命令信号ＰＢがポンプ・レーザ１２を通して増幅器１１のチャンネル出力強度を変える時、条件はすでに変わってしまっていることがあり、このことは増幅器１１のチャンネル出力強度の新しい測定を要求し、したがって新しいフィードバック処理命令信号ＰＢを提供するであろう。この処理工程が持続的に行われ、そして負フィードバック制御ループが生ずる。この負フィードバック制御ループは、一定の時間遅延をもって増幅器１１の出力強度を調整し、したがって、それは常に要求された値の近傍にある。
制御器１５は、従来のＰＩＤ（比例・積分・微分）制御器である。簡単に言えば、制御器１５の３つの異なる項は次のように要約することができる。すなわち、大きな比例項は制御器の速度を増加させる効果を有するが、しかしまた法則に従って安定度は減少する。積分項を導入することにより、出力信号のエラーが持続することはなくなるが、しかしこの項が大きいと安定度が減少する。微分項を導入することにより、安定度を改善することができるが、雑音的な測定信号の微分は困難である。制御のどの部分に注目するかに応じて、前記の項を注意深く加重することが必要である。
図４にはまた、フィードフォワード処理命令信号ＰＦとフィードバック処理命令信号ＰＢとを組み合わせ、そして出力信号ＰＤを供給するように組合せ装置１８が示されている。一定の関連において、フィードフォワードとフィードバックとが加算により組み合わされる。この場合に良好に動作するが、しかしこの場合には、チャンネルの総数が変わる時に擾乱が主として起こるから、また、この場合に増幅器１１の出力強度がチャンネルの総数に比例して変わるから、乗算を用いることにさらに利点があるであろう。したがって、組合せブロック１８は加算器または乗算器であることができるが、しかしまた他の組合せ機能を考えることも可能である。
多数の波長チャンネルが増幅器１１を通って進む。少なくとも１個の検査信号チャンネルには、データは伝送されず、むしろ増幅器１１の中のチャンネル出力強度を示すために既知の検査信号Ａだけが用いられる。検査信号Ａはパイロット・トーンまたはディジタル信号またはそれについて検査することができる任意の他の信号とすることができる。例えば保護信号のような他の目的のためにまた用いることができる信号Ａを、利点をもって選定することが可能である。
増幅器１１の後、検査信号Ａを有する１個または複数個の検査信号チャンネルが光デマルチプレクサ１６により読み出され、そして検出器ブロック１７に送られる。デマルチプレクサ１６はＷＤＭ結合器または通常の光結合器またはこれらと同等の装置であることができる。通常の光結合器と比べて、ＷＤＭ結合器は検出器ブロック１７からさらに良い信号対雑音比を与えるであろう。それは、データ・チャンネルが選定されないからである。通常の光結合器が用いられる時、信号対雑音比を改善するために、検出器ブロック１７の前に光フィルタ（図示されていない）を結合することができる。
検査信号Ａを読み出すのにいくつかの方法がある。その１つの方法は１個または複数個の検査信号チャンネルのトップ強度を測定することができ、または１つの方法は１個または複数個の検査信号チャンネルの振幅を測定することができる。後者の場合、いくつかの検査信号の振幅の平均値が用いられるべきである。また別の方法はディジタル検査信号Ａを用い、そしてそれを読み出すことである。もちろん、異なる検査信号チャンネルに、異なる検査信号Ａを送ることができる。
また別の方法は、すべてのチャンネルの中の信号に関して１個または複数個の検査信号Ａを変調し、そして次にこの検査信号Ａの振幅を測定することができる。けれども、このことはこれらのチャンネルの中のデータの伝送を乱すことがあり、そしてその場合の検査信号の振幅は小さいであろうから、検査信号がたとえそれ自身のチャンネルを有しても、それよりも測定がさらに困難なことがある。
利点のある１つの変更実施例として、もし例えば欠陥が起こる場合に対し検査信号Ａが検出されないならば、その場合には、新しい検査信号Ａが検出されるまで、フィードバック処理命令信号ＰＢの最新の値が用いられることが考えれられる。
増幅器１１のチャンネル出力強度を測定するまた別の方法として、検査信号は一切用いないことがまた考えられるが、しかしその代わりに、それらのチャンネルをカウントしそして次に増幅器１１からの全出力強度を測定する装置を備えることが考えられる。その後、全出力強度がチャンネルの総数で除算される。出力強度を同時に測定することなくチャンネルの総数を単にカウントすることにより、増幅器１１の出力強度のおおよその測定が得られるだけである。
増幅器１１のチャンネル出力強度に関して検出器ブロック１４が得た情報に基づいて、次に、チャンネル強度に依存する処理値信号ＰＶが、前記のように制御を行う制御装置１５に送られる。
図５は、同じ名称を有する図４の詳細図であり、そして本発明がどのように実施されるかの１つの例を詳細に示した図である。
制御の一定部分は、２つの機能ブロック２１および２２の中で実施される。第１機能ブロック２１は、フィードフォワード回路２５と、メモリ２６と、組合せブロック１８とを含む。図４のフィードフォワード・ブロック１４は、図５において、第１フォトダイオード２３と、対数増幅器２４と、フィードフォワード回路２５と、メモリ２６とに対応する。対数増幅器２４はその代わりに線形であることができるが、しかし全光入力強度はこのように広い範囲に変わることができるので、対数増幅器を用いることによりさらに利点があるであろう。
図５の第２機能ブロック２２は、制御装置１５と、検出器３２と、トーン発生器２９とを有する。図４の検出器ブロック１４は、図５において、第２フォトダイオード２７と、線形増幅器２８と、振幅測定ブロック３１と、検出器３２と、トーン発生器２９とに対応する。
機能ブロック２１および２２の中に送られるアナログ信号は、Ａ／Ｄ変換器３３を通る。同じ方式で、機能ブロック２１および２２から放出されたディジタル信号はＡ／Ｄ変換器３４を通って進む。
フォトダイオード２３および２７は、例えばＰＮ（ポジティブ・ネガティブ）型またはＰＩＮ（ポジティブ・真性・ネガティブ）型であることができる。
図５のフィードフォワードは次のように機能する。すなわち、フォトダイオード２３は、増幅器１１の入力を分岐し、したがって増幅器１１に対する全入力強度を表す、光を読み出す。
対数増幅器２４とＡ／Ｄ変換器３３とを通して、光はフィードフォワード２５に供給される例えば８ビット・ワードに変換される。どの位多くのビットが用いられるべきかは、精度（さらに多数個のビット）とスピード（さらに少数個のビット）との間の加重の問題である。もしフィードフォワードが全く有用であるべきならば、比較的高速に進むはずである。フィードフォワード出力信号が10分の１μｓの数倍の範囲内に適用されることが好ましい。
フィードフォワード回路２５はメモリ２６を呼び出す。メモリ２６は、８ビット・ワードに応じて、いずれのフィードフォワード処理命令信号ＰＦが送り出されるかをフィードフォワード回路２５に知らせる。次に、このフィードフォワード処理命令信号ＰＦと第２機能ブロックからのフィードバック処理命令信号ＰＢとが組合せブロック１８に送られる。組合せブロック１８は次に、出力信号ＰＤを放出する。出力信号ＰＤは、Ｄ／変換器３４を通って、ポンプ・レーザ１２に送られる。ポンプ・レーザ１２は次に、増幅器を制御する。ポンプ・レーザ１２は、その出力強度を制御するために、高速制御回路（図示されていない）を有する。このことを達成するのに、いくつかの方法が知られている。
図５において、振幅が２個の検査信号に関して測定される。この２個の検査信号は、この場合には、パイロット・トーンであり、そして同じチャンネルに送られる。光が光増幅器の出力から分岐され、そしてフォトダイオード２７および線形増幅器２８を通して、振幅測定ブロック３１に送られる電圧に変換される。
パイロット・トーンは、例えば６ｋＨｚだけ分離された例えば50〜60ｋＨｚの間にある周波数を有することができる。トーン発生器２９を用いて、振幅測定ブロック３１に対しパイロット・トーンよりも２ｋＨｚ高い周波数を有する、すなわち52〜62ｋＨｚの範囲の周波数を有する、２個の正弦波またはそれと同等の波に供給することにより、振幅測定のための基準信号が得られる。この場合、パイロット・トーンの周波数と対応する基準信号の周波数との間の差周波数は２ｋＨｚであるが、しかし他の周波数が起こることが可能であり、そしてこれらの他の周波数はフィルタ作用で除去されるべきである。
振幅測定ブロック３１は、約２ｋＨｚの２個の帯域フィルタと、２個の振幅メータとを有し、そしてこの方式で２つのパイロット・トーンの振幅が引き出される。その結果がＡ／Ｄ変換され、そして検出器３２に送られる。検出器３２では、２つの振幅の平均値が求められ、そして出力強度に依存する処理値信号ＰＶが制御器１５に送られる。この制御器は図４で説明されたように機能し、そしてフィードバック処理命令信号ＰＢを組合せブロック１８に放出する。前記で説明したように、組合せブロック１８は処理命令出力信号ＰＤを放出する。処理命令出力信号ＰＤは、光増幅器１１の出力強度を間接的に制御する。
【図１】
0003790552.tif 000002
【図２】
0003790552.tif 000003
【図３】
0003790552.tif 000004
【図４】
0003790552.tif 000005
【図５】
0003790552.tif 000006